【手続補正書】
【提出日】平成27年3月18日(2015.3.18)
【手続補正１】
【補正対象書類名】明細書
【補正対象項目名】０００７
【補正方法】変更
【補正の内容】
【０００７】
本発明に係る画像処理装置は、発光装置による発光を伴う第１の撮影による第１の画像と前記発光装置による発光を伴わない第２の撮影による複数の第２の画像とを連続的に撮影する撮影手段と、前記第１の撮影の感度を前記第２の撮影の感度よりも低く設定する感度設定手段と、
前記第１の画像の画像データに対してゲインを掛けるゲイン処理を行うゲイン処理手段と、前記ゲイン処理手段によりゲイン処理された第１の画像と前記複数の第２の画像とに基づいて平均化画像を作成する平均化手段と、前記撮影手段により撮影された第１の画像と前記平均化手段により作成された平均化画像とを合成して合成画像を作成する合成手段と、を備えることを特徴とする。
【手続補正２】
【補正対象書類名】特許請求の範囲
【補正対象項目名】全文
【補正方法】変更
【補正の内容】
【特許請求の範囲】
【請求項１】
発光装置による発光を伴う第１の撮影による第１の画像と前記発光装置による発光を伴わない第２の撮影による複数の第２の画像とを連続的に撮影する撮影手段と、
前記第１の撮影の感度を前記第２の撮影の感度よりも低く設定する感度設定手段と、
前記第１の画像の画像データに対してゲインを掛けるゲイン処理を行うゲイン処理手段と、
前記ゲイン処理手段によりゲイン処理された第１の画像と前記複数の第２の画像とに基づいて平均化画像を作成する平均化手段と、
前記撮影手段により撮影された第１の画像と前記平均化手段により作成された平均化画像とを合成して合成画像を作成する合成手段と、を備えることを特徴とする画像処理装置。
【請求項２】
前記ゲイン処理手段は、前記感度設定手段により設定された前記第１の撮影の感度と前記第２の撮影の感度との感度差を補うゲイン量を前記第１の画像に掛けることを特徴とする請求項１記載の画像処理装置。
【請求項３】
前記感度設定手段は、前記第２の画像の撮影数が多くなるにしたがって前記第１の撮影における感度を低く設定することを特徴とする請求項１又は２に記載の画像処理装置。
【請求項４】
前記複数の第２の画像の前記第１の画像に対する位置ずれ量を検出し、前記検出した位置ずれ量に基づいて前記複数の第２の画像の位置ずれを補正する位置ずれ補正手段を更に備えることを特徴とする請求項１乃至３のいずれか１項に記載の画像処理装置。
【請求項５】
前記位置ずれ補正手段は、前記複数の第２の画像の前記第１の画像に対する位置ずれ量を検出する際に、前記第１の画像として前記ゲイン処理手段によりゲイン処理された第１の画像を用いることを特徴とする請求項４に記載の画像処理装置。
【請求項６】
前記第２の画像に対する前記第１の画像における照明量を決定する照明量決定手段を更に備え、
前記合成手段は、前記照明量決定手段が決定した照明量に基づいて前記合成画像を生成することを特徴とする請求項１乃至５のいずれか１項に記載の画像処理装置。
【請求項７】
前記照明量決定手段は、前記第１の画像と前記第２の画像との輝度値の差に基づいて前記照明量を決定することを特徴とする請求項６に記載の画像処理装置。
【請求項８】
前記合成手段は、前記第１の画像をストロボ光が照射された領域に用い、前記平均化画像をストロボ光が照射されていない領域に用いて、前記合成画像を合成することを特徴とする請求項１乃至７のいずれか１項に記載の画像処理装置。
【請求項９】
前記平均化手段は、前記ゲイン処理手段によりゲイン処理された第１の画像と前記複数の第２の画像について画素値の平均値を画素毎に算出し、算出した画素値の平均値に基づいて前記平均化画像を作成することを特徴とする請求項１乃至６のいずれか１項に記載の画像処理装置。
【請求項１０】
発光装置による発光を伴う第１の撮影による第１の画像と前記発光装置による発光を伴わない第２の撮影による複数の第２の画像とを連続的に撮影する撮影手段と、
前記第１の撮影の感度を前記第２の撮影の感度よりも低く設定する感度設定手段と、
前記第１の画像の画像データに対してゲインを掛けるゲイン処理を行うゲイン処理手段と、
前記ゲイン処理手段によりゲイン処理された第１の画像と前記複数の第２の画像とに基づいて平均化画像を作成する平均化手段と、
前記撮影手段により撮影された第１の画像の画素値と前記平均化手段により作成された平均化画像の画素値とを画素毎に比較して明るい方の画素値を選択し、選択された画素値に基づいて合成画像を作成する合成手段と、を備えることを特徴とする画像処理装置。
【請求項１１】
発光装置を備える画像処理装置で実行される画像処理方法であって、
前記発光装置による発光を伴う第１の撮影の感度を前記発光装置による発光を伴わない第２の撮影の感度よりも低く設定する感度設定ステップと、
前記感度設定ステップで設定された感度で、前記第１の撮影による第１の画像と前記第２の撮影による複数の第２の画像とを連続的に撮影する撮影ステップと、
前記第１の画像の各画素値に対してゲインを掛けるゲイン処理を行うゲイン処理ステップと、
前記ゲイン処理ステップでゲイン処理された第１の画像と前記複数の第２の画像とに基づいて平均化画像を作成する平均化ステップと、
前記撮影ステップで撮影された第１の画像と前記平均化ステップで作成された平均化画像とを画素毎に合成して合成画像を作成する合成ステップと、を備えることを特徴とする画像処理方法。
【請求項１２】
発光装置を備える画像処理装置で実行される画像処理方法であって、
前記発光装置による発光を伴う第１の撮影の感度を前記発光装置による発光を伴わない第２の撮影の感度よりも低く設定する感度設定ステップと、
前記感度設定ステップで設定された感度で、前記第１の撮影による第１の画像と前記第２の撮影による複数の第２の画像とを連続的に撮影する撮影ステップと、
前記第１の画像の各画素値に対してゲインを掛けるゲイン処理を行うゲイン処理ステップと、
前記ゲイン処理ステップでゲイン処理された第１の画像と前記複数の第２の画像とに基づいて平均化画像を作成する平均化ステップと、
前記撮影ステップで撮影された第１の画像の画素値と前記平均化ステップで作成された平均化画像の画素値とを画素毎に比較して明るい方の画素値を選択し、選択された画素値に基づいて合成画像を作成する合成ステップと、を備えることを特徴とする画像処理方法。
【請求項１３】
発光装置による発光を伴う第１の撮影による第１の画像と前記発光装置による発光を伴わない第２の撮影による複数の第２の画像とを連続的に撮影する撮影手段と、
前記第１の撮影の感度を前記第２の撮影の感度よりも低く設定する感度設定手段と、
前記第１の画像の画像データに対してゲインを掛けるゲイン処理を行うゲイン処理手段と、
前記ゲイン処理手段によりゲイン処理された第１の画像と前記複数の第２の画像とに基づいて加算画像を作成する加算手段と、
前記撮影手段により撮影された第１の画像と前記加算手段により作成された加算画像とを合成して合成画像を作成する合成手段と、を備えることを特徴とする画像処理装置。
【請求項１４】
前記第２の画像に対する前記第１の画像における照明量を決定する照明量決定手段を更に備え、
前記合成手段は、前記照明量決定手段が決定した照明量に基づいて前記合成画像を生成することを特徴とする請求項１３に記載の画像処理装置。
【請求項１５】
前記合成手段は、前記第１の画像をストロボ光が照射された領域に用い、前記加算画像をストロボ光が照射されていない領域に用いて、前記合成画像を合成することを特徴とする請求項１３又は１４に記載の画像処理装置。
【請求項１６】
発光装置を備える画像処理装置で実行される画像処理方法であって、
前記発光装置による発光を伴う第１の撮影の感度を前記発光装置による発光を伴わない第２の撮影の感度よりも低く設定する感度設定ステップと、
前記感度設定ステップで設定された感度で、前記第１の撮影による第１の画像と前記第２の撮影による複数の第２の画像とを連続的に撮影する撮影ステップと、
前記第１の画像の各画素値に対してゲインを掛けるゲイン処理を行うゲイン処理ステップと、
前記ゲイン処理ステップでゲイン処理された第１の画像と前記複数の第２の画像とに基づいて加算画像を作成する加算ステップと、
前記撮影ステップで撮影された第１の画像と前記加算ステップで作成された加算画像とを画素毎に合成して合成画像を作成する合成ステップと、を備えることを特徴とする画像処理方法。
【請求項１７】
コンピュータに、請求項１１、１２及び１６のいずれか１項に記載の画像処理装置で実行される画像処理方法の各工程を実行させるためのプログラムが記憶されたコンピュータが読み取り可能な記憶媒体。